【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
近位脛骨に取り付けるサイズに形成された人工脛骨のファミリーであって、前記ファミリーが、
複数のプロテーゼ外周（２００x）を規定する複数の人工脛骨を備え、それぞれの前記プロテーゼ外周（２００）は、
図心（Ｃ）と、
前記プロテーゼ外周を内側区画（２２）と外側区画（２０）とに分割する前後軸と、
前記図心から前記プロテーゼ外周の後−内側コーナーまで延びる後−内側距離（ＤＭＰ）と、
前記図心から前記プロテーゼ外周の後−外側コーナーまで延びる後−外側距離（ＤＬＰ）を規定し、
前記複数のプロテーゼ外周は、
小サイズのプロテーゼに対応し、小さな後−内側長を有する前記後−内側距離と、小さな後−外側長を有する前記後−外側距離とを規定する小型の外周と、
前記小サイズのプロテーゼと比べてその次の大きさの中サイズのプロテーゼに対応し、前記小さな後−内側長より第１の後−内側増分だけ長い中程度の後−内側長を有する前記後−内側距離と、前記小さな後−外側長より第１の後−外側増分だけ長い中程度の後−外側長を有する前記後−外側距離とを規定する中型の外周と、
前記中サイズのプロテーゼと比べてその次の大きさの大サイズのプロテーゼに対応し、前記中程度の後−内側長より第２の後−内側増分だけ長い大きな後−内側長を持つ前記後−内側距離と、前記中程度の後−外側長より第２の後−外側増分だけ長い大きな後−外側長を持つ前記後−外側距離とを規定する大型の外周と、を含み、
前記第２の後−内側増分が前記第１の後−内側増分より多く、
前記第２の後−外側増分が前記第１の後−外側増分より多い、人工脛骨のファミリー。
【請求項２】
前記第１の後−内側増分が前記第１の後−外側増分より多く、それにより、前記小型の外周と比べてより前記中型の外周において前記内側区画が前記外側区画より早く大きくなる、請求項１に記載の人工脛骨のファミリー。
【請求項３】
前記第２の後−内側増分が前記第２の後−外側増分より多く、それにより、前記小型の外周と比べてより前記中型の外周において前記内側区画が前記外側区画より早く大きくなる、請求項１に記載の人工脛骨のファミリー。
【請求項４】
前記第２の後−内側増分が前記第１の後−内側増分より約２０％大きい、請求項１に記載の人工脛骨のファミリー。
【請求項５】
前記第２の後−外側増分が前記第１の後−外側増分より約４％大きい、請求項１に記載の人工脛骨のファミリー。
【請求項６】
前記プロテーゼ外周が、
前縁（２０２）と
前記外側区画に対応する外側外周、を備え、前記外側外周が、
前記前縁とは概ね反対側にあって前記外側区画（２０）の後方境界線を形成する外側後縁（２０４）と、
前記前縁に対して実質的に垂直な接線（２１２Ａ）を規定する外側縁（２１２）と、
前記前縁と前記外側縁との間にある角度掃引範囲（２Ｌ）を占める前−外側コーナー（２１０）を含んでおり、
前記後−外側コーナーは、前記外側縁に対して前記前−外側コーナーの反対側に位置し、前記外側縁と前記外側後縁との間にある角度掃引範囲（４Ｌ）を占める、請求項１に記載の人工脛骨のファミリー。
【請求項７】
前記後−外側距離（ＤＬＰ）が、前記前後軸から１２０度の角度をなす線に沿って前記図心（Ｃ）から前記プロテーゼ外周（２００）まで延びる、請求項１に記載の人工脛骨のファミリー。
【請求項８】
前記プロテーゼ外周が、
前縁（２０２）と、
前記内側区画に対応する内側外周と、を備え、前記内側外周が、
前記前縁とは概ね反対側にあって前記内側区画（２２）の後方境界線を形成する内側後縁（２０６）と、
前記前縁に対して実質的に垂直な接線（２２２Ａ）を規定する内側縁（２２２）と、
前記前縁と前記内側縁との間にある角度掃引範囲（１Ｒ）を占める前−内側コーナー（２２０）と、を含み、
前記後−内側コーナーは、前記内側縁に対して前記前−内側コーナーの反対側に位置し、前記内側縁と前記内側後縁との間にある角度掃引範囲（３Ｒ）を占める、請求項１に記載の人工脛骨のファミリー。
【請求項９】
前記後−内側距離（ＤＭＰ）が、前記前後軸から１３０度の角度をなす線に沿って前記図心（Ｃ）から前記プロテーゼ外周（２００）まで延びる、請求項１に記載の人工脛骨のファミリー。
【請求項１０】
前記複数の人工脛骨が少なくとも７つの人工脛骨を含み、前記人工脛骨のそれぞれが順番に大きくなり、
前記人工脛骨のそれぞれが、順番において次に小さい後−内側増分の後−内側増分より多いそれぞれの後−内側増分を規定するとともに、
順番において次に小さい後−内側増分の後−外側増分より多いそれぞれの後−外側増分を規定する、請求項１に記載の人工脛骨のファミリー。
【請求項１１】
前記複数の人工脛骨が複数の脛骨ベースプレート（１２）と、複数の脛骨支持部品（１４）とを備え、前記複数の脛骨支持部品のそれぞれが、
前記複数の人工脛骨のうちの１つの外側区画（２０）に関係し前記プロテーゼ外周（２００）に実質的に対応する外側部（３９）と、
前記複数の人工脛骨のうちの１つの内側区画（２２）に関係し前記プロテーゼ外周（２００）と少なくとも部分的に一致しない内側部（４１）と、を備える、請求項１に記載の人工脛骨のファミリー。
【請求項１２】
前記複数の脛骨ベースプレート（１２）のそれぞれが、前記内側区画（２２）に後内側ベースプレート斜面部（３２）を含み、
前記複数の脛骨支持部品（１４）のそれぞれが、前記内側部（４１）に形成された後内側支持斜面部（５０）を含み、
前記複数の脛骨支持部品のそれぞれが、前記複数の脛骨ベースプレートのうちの１つに取り付けられてそれぞれの人工脛骨組立体（１０）を形成しき、前記ベースプレート斜面部と前記支持斜面部とが協働して実質的に連続な斜面部を前記人工脛骨組立体に形成する、請求項１１に記載の人工脛骨のファミリー。
【請求項１３】
前記複数の脛骨支持部品（１４）のうちの少なくとも１つとある屈曲範囲で関節接続するよう少なくとも１つの大腿骨部品（６０）と組み合わされる、請求項１１に記載の人工脛骨のファミリー。
【請求項１４】
それぞれの人工脛骨が脛骨に取り付けられるときに前記前後軸が身体軸と揃い、前記身体軸は、
後十字靭帯と脛骨との間の付着領域の幾何学的中心にある後方点（ＣP）から
脛骨の前結節（Ｂ）に配置される前方点（ＣA）まで延びる直線として規定され、前記結節は結節幅（Ｗ）を有し、前記前方点は、前記結節上で脛骨の中点（ＰT）からＷ／６に等しい距離だけ内側方向に離れた位置に配置される、請求項１に記載の人工脛骨のファミリー。
【請求項１５】
前記複数の人工脛骨のそれぞれが、
前縁（２０２）と、
前記前縁とは概ね反対側に位置し、前記外側区画（２０）と前記内側区画（２２）との間にあるＰＣＬ切除領域（２８）と、を備え、
前記前後軸が前記前縁を二分し、かつ前記ＰＣＬ切除領域を二分する、請求項１に記載の人工脛骨のファミリー。
【請求項１６】
前記内側区画（２２）が、前記前後軸に対して前記外側区画（２０）と非対称であり、それにより前記プロテーゼ外周（２００）のそれぞれが、対応するサイズの脛骨の切除された近位面の約６０％〜約９０％を覆うサイズ及び形状に形成される、請求項１に記載の人工脛骨のファミリー。
【請求項１７】
前記内側区画（２２）が前記前後軸と協働して内側表面積（ＳＡＭ）を取り囲み、
前記外側区画が前記前後軸と協働して外側表面積（ＳＡＬ）を取り囲み、
前記内側表面積が前記外側表面積より広い、請求項１６に記載の人工脛骨のファミリー。
【請求項１８】
前記複数の人工脛骨のそれぞれが、
前縁（２０２）と、
前記前縁とは概ね反対側に位置し、前記外側区画（２０）の後方境界線を形成する外側後縁（２０４）と、
前記前縁とは概ね反対側に位置し、前記内側区画（２２）の後方境界線を形成する内側後縁（２０６）を備え、
前記外側区画が、前記プロテーゼ外周の前記前縁から前記外側後縁まで延びる外側前後長（ＤＡＰＬ）を規定し、
前記内側区画が、前記プロテーゼ外周の前記前縁から前記内側後縁まで延びる内側前後長（ＤＡＰＭ）を規定し、
前記内側前後長が前記外側前後長より長い、請求項１６に記載の人工脛骨のファミリー。
【請求項１９】
前記後−内側コーナーが後−内側コーナー半径（Ｒ３Ｒ）を規定し、
前記後−外側コーナーが、その後−内側コーナー半径より実質的に短い後−外側コーナー半径（Ｒ４Ｌ）を規定している、請求項１６に記載の人工脛骨のファミリー。
【請求項２０】
前記複数のプロテーゼ外周のそれぞれが、
前縁（２０２）と、
前記前縁とは概ね反対側に位置し、前記外側区画（２０）の後方境界線を形成する外側後縁（２０４）と、
前記前縁とは概ね反対側に位置し、前記内側区画（２２）の後方境界線を形成する内側後縁（２０６）を備え、
前記外側区画が、前記前縁から前記外側後縁まで延びる外側外周を備え、前記外側外周が複数の隣り合う外側円弧（２０８、２１０、２１２、２１４、２１６）を規定し、その複数の隣り合う外側円弧の１つのペアが、第１の外側半径と第２の外側半径とをそれぞれ規定し、第１の外側半径は第２の外側半径より少なくとも１００％大きく、
前記内側区画が、前記前縁から前記内側後縁まで延びる内側外周を備え、前記内側外周が複数の隣り合う内側円弧（２２０、２２２、２２４）を規定し、その複数の隣り合う内側円弧の１つのペアが、第１の内側半径と第２の内側半径とをそれぞれ規定し、第１の内側半径は第２の内側半径より７５％未満大きい、請求項１６に記載の人工脛骨のファミリー。
【請求項２１】
前記外側区画（２０）が複数の隣り合う外側円弧（２０８、２１０、２１２、２１４、２１６）を規定し、
前記内側区画（２２）が複数の隣り合う内側円弧（２２０、２２２、２２４）を規定し、
前記複数の隣り合う外側円弧の数が、前記複数の隣り合う内側円弧の数より多い、請求項１６に記載の人工脛骨のファミリー。
【請求項２２】
前記プロテーゼ外周（２００）のそれぞれが前縁（２０２）を規定し、
前記外側区画（２０）が、第１の半径中心（Ｃ２Ｌ）を有する前−外側コーナー半径（Ｒ２Ｌ）を規定する前−外側コーナーを含み、
前記内側区画（２２）が、第２の半径中心（Ｃ１Ｒ）を有する前−内側コーナー半径（Ｒ１Ｒ）を規定する前−内側コーナーを含み、
前記内側外側軸（ＡML）が、前記プロテーゼ外周の中にあってさらに前記前後軸に垂直な最長の線分を規定し、
前記第１の径方向中心は、前記内側外側軸と前記前縁との間に配置され、前記第２の径方向中心は、前記内側外側軸の後方に配置される、請求項１６に記載の人工脛骨のファミリー。
【請求項２３】
近位脛骨に取り付けられるサイズに形成された人工脛骨のファミリーであって、このファミリーが、
複数のプロテーゼ外周（２００x）を規定する複数の人工脛骨を備え、それぞれの前記プロテーゼ外周（２００）は、
図心（Ｃ）と、
前記プロテーゼ外周を内側区画（２２）と外側区画（２０）とに分割する前後軸と、
前記図心から前記プロテーゼ外周の後−内側コーナーまで延びる後−内側距離（ＤＭＰ）と、
前記図心から前記プロテーゼ外周の後−外側コーナーまで延びる後−外側距離（ＤＬＰ）を規定し、
前記複数のプロテーゼ外周は、
小さな後−内側長を有する前記後−内側距離と、小さな後−外側長を持つ前記後−外側距離とを規定する小型の外周と、
前記小さな後−内側長より後−内側増分だけ長い大きな後−内側長を有する前記後−内側距離と、前記小さな後−外側長より後−外側増分だけ長い大きな後−外側長を有する前記後−外側距離とを規定する大型の外周を含み、
前記後−内側増分が前記後−外側増分より多い、人工脛骨のファミリー。